(57)【要約】【課題】グレア防止部材を備える照明器具において、ランプ光の照射方向前方に大きな作業空間が形成されて、ランプ交換作業を容易に行える。【解決手段】照明器具は、高輝度放電灯８と、反射鏡９と、ソケットハウジング６と、グレア防止部材１１とを備える。グレア防止部材１１は、高輝度放電灯８の先端部を覆うキャップ部１３と、支持アーム１４とを備え、支持アーム１４の一端に形成された連結部１６がソケットハウジング６から突設された台座部１９に、長孔１５と該長孔１５に係合するつまみねじ２１とを介して連結され、ソケットハウジング６に対して回動自在、かつスライド自在に構成される。ユーザは、つまみねじ２１を緩めてグレア防止部材１１をスライド移動させた後、つまみねじ２１を支持点として支持アーム１４を回動させる。高輝度放電灯８からの光の照射方向前方に大きな作業空間が形成され、ユーザはランプの交換作業を容易に行える。【選択図】図９
2008293932.tif 000002
【特許請求の範囲】
【請求項１】
ランプと、前記ランプから出射される光を反射して所定の照射方向へ案内する反射鏡と、前記反射鏡によるランプ光の照射方向前方に設置されるグレア防止部材と、を備える照明器具において、
前記グレア防止部材は、前記ランプ光の照射方向前方位置と該位置から外れた位置との間で移動自在であり、かつ前記照射方向に沿ってスライド自在に設けられていることを特徴とする照明器具。
【請求項２】
前記グレア防止部材は、その支持点を中心に円弧を描くように回動自在であることを特徴とする請求項１に記載の照明器具。
【請求項３】
前記グレア防止部材は、前記照射方向前面に設置されるときに前記グレア防止部材の一部が前記反射鏡に係合して位置決めされることを特徴とする請求項１又は請求項２に記載の照明器具。
【発明の詳細な説明】
【技術分野】
【０００１】
本発明は、グレア防止部材を備える照明器具に関する。
【背景技術】
【０００２】
スポットライト型の照明器具では、グレアを防止するためにランプから出射する光の照射方向前方にグレア防止部材が取付けられる。例えば、グレア防止部材がキャップ本体と、キャップ本体を支持する二股状の支持アームとから構成され、該支持アームの両端が、灯体側に取外し自在に固定された照明器具が知られている（特許文献１参照）。
【特許文献１】特開平１１−３５３９０６号公報
【発明の開示】
【発明が解決しようとする課題】
【０００３】
上記特許文献１に記載の照明器具では、キャップ本体の支持アームの一端に形成された軸部が、灯体側に設けられた板ばねによる押圧保持機構によって回転自在に保持され、ランプ交換のときには、ユーザが支持アームを持って押圧保持機構側へ圧力を加えつつ回動させることによってグレア防止部材の全体が約９０度前方へ回動するので、ランプの前方側に空間が大きく形成され、ランプの交換作業が容易になる。ところが、ランプが大型で該ランプに覆い被さるキャップ本体も大型の場合には、グレア防止部材が約９０度回動しただけでは、キャップ本体自体が邪魔になってランプの前方側に、ユーザが交換作業を容易に行える程度の空間が形成されないという問題がある。
【０００４】
また、上記特許文献１に記載の照明器具は、支持アームの一端に形成された軸部が押圧保持機構によって弾性的に保持されているだけであるので、ランプの交換作業時等において該軸部が押圧保持機構から不測に外れてグレア防止部材が落下する虞がある。
【０００５】
そこで、本発明は、グレア防止部材を備える照明器具において、ランプや反射鏡を交換するときにランプの前方側に大きな作業空間が形成されて、ユーザによるランプ等の交換作業が容易に行え、かつグレア防止部材が落下する虞がない照明器具を提供することを目的とする。
【課題を解決するための手段】
【０００６】
上記目的を達成するために、請求項１の発明は、ランプと、前記ランプから出射される光を反射して所定の照射方向へ案内する反射鏡と、前記反射鏡によるランプ光の照射方向前方に設置されるグレア防止部材と、を備える照明器具において、前記グレア防止部材は、前記ランプ光の照射方向前方位置と該位置から外れた位置との間で移動自在であり、かつ前記照射方向に沿ってスライド自在に設けられていることを特徴とする。
【０００７】
請求項２の発明は、請求項１に記載の照明器具において、前記グレア防止部材は、その支持点を中心に円弧を描くように回動自在であることを特徴とする。
【０００８】
請求項３の発明は、請求項１又は請求項２に記載の照明器具において、前記グレア防止部材は、前記照射方向前面に設置されるときに前記グレア防止部材の一部が前記反射鏡に係合して位置決めされることを特徴とする。
【発明の効果】
【０００９】
請求項１の発明によれば、グレア防止部材がランプ光の照射方向前方位置と該位置から外れた位置との間で移動自在であり、かつ前記照射方向に沿ってスライド自在であるので、ランプや反射鏡を交換するときにランプの前方側に大きな作業空間が形成されて、ユーザによるランプ等の交換作業が容易に行え、かつグレア防止部材が不測に落下してしまう虞がない。
【００１０】
請求項３の発明によれば、グレア防止部材の一部が反射鏡に係合して位置決めされるので、グレア防止部材の取付け位置を容易に一定にすることができる。
【発明を実施するための最良の形態】
【００１１】
本発明の一実施形態に係る照明器具について、図１乃至図１１を参照して説明する。本実施形態の照明器具１は、図１に示されるように、照明器具本体２と、該照明器具本体２がアーム３を介して吊り下げられた状態で連結される点灯装置４とを備え、点灯装置４が生成した電力が電線コード５を介して照明器具本体２へ供給される。点灯装置４は、図示しない配線ダクトに連結されることによって天井の所定位置に固定されると共に電力を供給される。
【００１２】
照明器具本体２は、ソケットハウジング６と、ソケットハウジング６内のソケット７に螺入される高輝度放電灯（ランプ）８（図２参照）と、ソケットハウジング６の開口めねじ部に螺入固定された反射鏡９と、後に詳述するグレア防止部材１１と、を備える。反射鏡９は、回転放物面の反射面を有し、高輝度放電灯８から出射される光を反射して所定の照射方向へ案内する。また、ソケットハウジング６は、その上面に形成された連結部６ａとアーム３の下端とがヒンジ１２により連結されることによってアーム３への取付け角度が調整自在に構成されて照明器具本体２からの光の照射方向が上下に調整できるようになっている。なお、本実施形態の高輝度放電灯８は、ランプ本体が比較的長尺な形状のランプである。
【００１３】
グレア防止部材１１は、図３に示されるように、高輝度放電灯８の先端部に被される略筒状のキャップ部１３と、キャップ部１３から側方及びキャップ部１３の長さ方向に延びる支持アーム１４とを備える。支持アーム１４は、クランク状に屈曲した部材であって、一端がキャップ部１３に固定され、他端がソケットハウジング６への連結部１６に構成されている。連結部１６には長孔１５が形成され、連結部１６の先端１６ａは半円形に形成されて、該支持アーム１４が後述する台座部１９上において円滑に回動できるようになっている。また、反射鏡９の開口縁部９ａには、図４に示されるように、溝部１７が形成され、支持アーム１４の屈曲部には、図５に示されるように、反射鏡９の溝部１７に係合する凸部１８が形成されている。凸部１８は、グレア防止部材１１が高輝度放電灯８の光の照射方向前方の所定位置に設置されるときに溝部１７に係合する。
【００１４】
そして、ソケットハウジング６の開口部の外周には、図２に示されるように台座部１９が突出形成され、該台座部１９に支持アーム１４の連結部１６がスライド自在に連結される。台座部１９は、連結部１６の長さＬｍと略同等の長さＬｎを有する直方形のベース板部１９ａと、ベース板部１９ａに垂直に直交するレール板部１９ｂとを備え、ベース板部１９ａの端部に連結部１６の長孔１５に係合するつまみねじ２１を有する。つまみねじ２１は、ユーザが回転することによってベース板部１９ａへの螺入量を容易に調整することができる。
【００１５】
本実施形態の照明器具１において、高輝度放電灯８、及び反射鏡９を交換するときの手順について、図６乃至図１１を参照して説明する。図６は、グレア防止部材１１が、グレアを防止する所定の位置に固定された状態（以下、通常状態という）を示している。通常状態では、グレア防止部材１１のキャップ部１３が高輝度放電灯８の先端部に深く被さり、支持アーム１４の連結部１６は、台座部１９に略重なっている。また、支持アーム１４の屈曲部の凸部１８が反射鏡９の溝部１７に係合して位置決めされ、反射鏡９に対するグレア防止部材１１の位置が所定の位置に固定されている。
【００１６】
上記通常状態から、高輝度放電灯８、及び反射鏡９を交換するときには、ユーザは、つまみねじ２１をいずれかの方向へ回転して緩め、グレア防止部材１１を手前に引出して支持アーム１４を図７の矢印Ａ方向へスライド移動させる。このとき、支持アーム１４の連結部１６の一辺１６ｂ（図３参照）は台座部１９のレール板部１９ｂに当接して摺動するので、グレア防止部材１１は、矢印Ａ方向に沿って直線的にスライド移動する。
【００１７】
支持アーム１４の矢印Ａ方向へのスライド移動が終端に到達すると、連結部１６の大部分が台座部１９から外れた位置になるので、支持アーム１４は、つまみねじ２１を支持点として回動自在になる（図８）。そこでユーザは、支持アーム１４を図９の矢印Ｂ方向へ回動し、キャップ部１３を高輝度放電灯８の光の照射方向前方から外れた位置へ移動させる。このとき、連結部１６の先端１６ａが半円形に形成されているので、支持アーム１４は、台座部１９に引っ掛かることなく円滑に回動する。
【００１８】
この状態で高輝度放電灯８の前方側に大きな作業空間が形成されるので、ユーザは、つまみねじ２１を締めてグレア防止部材１１が重力によって高輝度放電灯８の前方位置に戻らないようにしたうえで、高輝度放電灯８を回転させて取外す（図１０）。反射鏡９の交換をするときには、反射鏡９も回転させて取外す（図１１）。このとき、グレア防止部材１１は、連結部１６がつまみねじ２１によってソケットハウジング６の台座部１９に連結されているので、落下してしまう虞がない。
【００１９】
新しい高輝度放電灯８、及び反射鏡９を取付けて再び通常状態へ戻すには、上記手順の逆の順序で行う。具体的には、ユーザは、つまみねじ２１を緩めて支持アーム１４を再び回動自在にした上で、支持アーム１４を図９の矢印Ｂ反対方向へ回動し、キャップ部１３が高輝度放電灯８の光の照射方向の前方位置になるようにする（図８）。その後、ユーザは、支持アーム１４を図７の矢印Ａ反対方向へ押し込んでスライド移動させ、キャップ部１３が高輝度放電灯８の先端部に深く被さった通常状態とする。このとき、ユーザは、支持アーム１４の凸部１８が反射鏡９の溝部１７に嵌合するようにして、グレア防止部材１１の位置決めを行う（図５参照）。
【００２０】
以上のように、本実施形態の照明器具１では、グレア防止部材１１がつまみねじ２１を支持点として回動自在（図９における矢印Ｂ）であって、高輝度放電灯８の光の照射方向前方位置と該位置から外れた位置との間で移動自在であり、かつ照射方向に沿ってスライド自在（図７における矢印Ａ）であるので、高輝度放電灯８の前方側に大きな作業空間を形成することができ、ユーザによる高輝度放電灯８、及び反射鏡９の交換作業を容易に行うことができる。また、グレア防止部材１１は、連結部１６が長孔１５とつまみねじ２１によってソケットハウジング６の台座部１９に連結されているので、交換作業中に不測に落下してしまう虞がない。
【００２１】
なお、本実施形態では、グレア防止部材１１を回動自在、かつスライド自在とする構造として、支持アーム１４の連結部１６の長孔１５と、該長孔１５に係合する台座部１９のつまみねじ２１とを採用しているが、グレア防止部材１１を回動自在、かつスライド自在とする構造としては、種々の変形が可能である。例えば、回動支持点としての軸部が支持アーム１４側に設けられ、該軸部をスライド自在に支承するレール構造が台座部１９に設けられてもよい。
【００２２】
また、グレア防止部材１１が通常状態に設置されるときに、グレア防止部材１１の位置決めをする構造は、反射鏡９に形成された溝部１７と支持アーム１４に形成された凸部１８に代えて、支持アーム１４に形成された反射鏡９の開口縁部９ａに係合する溝部であってもよい。
【図面の簡単な説明】
【００２３】
【図１】本発明の一実施形態に係る照明器具の全体構成を示す斜視図。
【図２】同照明器具におけるソケットハウジングを示す斜視図。
【図３】同照明器具におけるグレア防止部材を示す斜視図。
【図４】同照明器具における反射鏡の側面図。
【図５】同照明器具における反射鏡の溝部と支持アームの凸部が係合した状態を示す斜視図。
【図６】同照明器具においてグレア防止部材が所定の位置に固定された通常状態を示す断面図。
【図７】同照明器具においてグレア防止部材が引出される状態を示す断面図。
【図８】同照明器具においてグレア防止部材が終端まで引出された状態を示す断面図。
【図９】同照明器具においてグレア防止部材がランプ光の照射方向前方から外れた位置に移動された状態を示す断面図。
【図１０】同照明器具においてランプが取外された状態を示す断面図。
【図１１】同照明器具において反射鏡が取外された状態を示す断面図。
【符号の説明】
【００２４】
１  照明器具
８  高輝度放電灯（ランプ）
９  反射鏡
１１  グレア防止部材
１５  長孔
１６  連結部
１７  溝部
１８  凸部
１９  台座部
２１  つまみねじ（支持点）
【図１】
2008293932.tif 000003
【図２】
2008293932.tif 000004
【図３】
2008293932.tif 000005
【図４】
2008293932.tif 000006
【図５】
2008293932.tif 000007
【図６】
2008293932.tif 000008
【図７】
2008293932.tif 000009
【図８】
2008293932.tif 000010
【図９】
2008293932.tif 000011
【図１０】
2008293932.tif 000012
【図１１】
2008293932.tif 000013